(57)【特許請求の範囲】
【請求項１】
フレキシブルなベース基板と，
前記ベース基板の一側面に備えられたゲート駆動信号を印加させるためのゲート駆動信号入力線と，
前記ゲート駆動信号入力線に接続されるように前記ベース基板に実装され，印加された前記ゲート駆動信号をＴＦＴ基板に形成された複数個のゲートラインに入力させるために並列分岐させる時，前記ＴＦＴ基板の第１ゲートラインから最終ゲートラインまでの各ラインに入力される前記ゲート駆動信号のレベルを線形的に変化させた後，出力端子を通して出力させるゲート駆動ＩＣと，
前記ベース基板に形成され，前記出力端子を通して出力される線形的に変化させたレベルを持つ前記ゲート駆動信号を，複数個の前記ゲートラインに印加させるためのゲート駆動信号出力線と，
を有し，
前記出力端子を通して出力される前記ゲート駆動信号のレベルが，第１出力端子から最終出力端子に行くほど連続的に減少し，前記第１出力端子から出力される前記信号のレベルは最大で，前記最終出力端子から出力される前記信号のレベルは最小であり，
前記ベース基板には，前記ゲート駆動信号入力線と並列連結され，前記ゲート駆動信号が前記ゲート駆動ＩＣに入力されずに，前記ベース基板の外部に出力されるようにバイパスさせる信号伝送線が形成され，
前記信号伝送線から出力される前記ゲート駆動信号のレベルと，前記ゲート駆動ＩＣの出力端子中の最終出力端子から出力される前記ゲート駆動信号のレベルとのレベル差は，前記信号伝送線の抵抗により前記信号伝送線から出力される前記ゲート駆動信号のレベルが調整されることによって，所定範囲内に存在するように調整されることを特徴とする，液晶表示装置用駆動信号印加時点決定モジュール。
【請求項２】
フレキシブルなベース基板と，
前記ベース基板の一側面に備えられたゲート駆動信号を印加させるためのゲート駆動信号入力線と，
前記ゲート駆動信号入力線に接続されるように前記ベース基板に実装され，印加された前記ゲート駆動信号をＴＦＴ基板に形成された複数個のゲートラインに入力させるために並列分岐させる時，前記ＴＦＴ基板の第１ゲートラインから最終ゲートラインまでの各ラインに入力される前記ゲート駆動信号のレベルを線形的に変化させた後，出力端子を通して出力させるゲート駆動ＩＣと，
前記ベース基板に形成され，前記出力端子を通して出力される線形的に変化させたレベルを持つ前記ゲート駆動信号を，複数個の前記ゲートラインに印加させるためのゲート駆動信号出力線と，
を有し，
前記出力端子を通して出力される前記ゲート駆動信号のレベルが，第１出力端子から最終出力端子に行くほど連続的に減少し，前記第１出力端子から出力される前記信号のレベルは最大で，前記最終出力端子から出力される前記信号のレベルは最小であり，
前記ゲート駆動信号入力線と分離された少なくとも１個以上の信号伝送線が形成され，
前記信号伝送線から出力される前記ゲート駆動信号のレベルと，前記ゲート駆動ＩＣの出力端子中の最終出力端子から出力される前記ゲート駆動信号のレベルとのレベル差は，前記信号伝送線それぞれに接続される伝送パターンの抵抗により前記信号伝送線から出力される前記ゲート駆動信号のレベルが調整されることによって，所定範囲内に存在するように調整されることを特徴とする，液晶表示装置用駆動信号印加時点決定モジュール。
【請求項３】
前記出力端子を通して出力される前記ゲート駆動信号は，液晶表示装置用薄膜トランジスタをターン−オフ状態で維持させるターン−オフ電圧であることを特徴とする，請求項１または２に記載の液晶表示装置用駆動信号印加時点決定モジュール。
【請求項４】
ゲート駆動信号及びデータ駆動信号が発生する統合印刷回路基板と，
透明基板にマトリックス状で形成された複数個の薄膜トランジスタに前記データ駆動信号が各々印加されるように形成された複数列のデータライン，前記薄膜トランジスタに前記ゲート駆動信号が各々印加されるように形成されて前記薄膜トランジスタに連結された画素電極に所定信号が印加，維持されるように形成されたＴＦＴ基板，前記画素電極と対向する共通電極とＲＧＢ画素が形成されたカラーフィルタ基板，及び液晶を有する液晶表示パネルと，
指定の時点に前記データ駆動信号が割り当てられた複数個の前記データラインに印加されるようにする少なくとも１個以上のデータ駆動信号印加時点決定モジュールと，指定の時点に前記ゲート駆動信号が割り当てられた複数個の前記ゲートラインに印加されるようにする少なくとも１個以上のゲート駆動信号印加時点決定モジュールとを有し，前記統合印刷回路基板から第１信号伝送手段を通して前記ＴＦＴ基板に前記ゲート駆動信号を印加し，第２信号伝送手段を通して前記ＴＦＴ基板から前記ゲート駆動信号印加時点決定モジュールに前記ゲート駆動信号を伝送し，第３信号伝送手段により次のゲート駆動信号印加時点決定モジュールに前記ゲート駆動信号を伝送すると共に，各々の前記ゲート駆動信号印加時点決定モジュールから出力されるゲート駆動信号が線形的に変更されるように調節する信号伝送手段と，
を有し，
前記ゲート駆動信号印加時点決定モジュールは，
フレキシブルなベース基板と，
前記ベース基板に形成され，前記第２信号伝送手段により前記ゲート駆動信号が入力される信号入力線と，
前記ベース基板に実装され，前記信号入力線により前記ゲート駆動信号が入力される入力端子，及び前記ゲート駆動信号を第１出力端子から最終出力端子に至るまで前記ゲート駆動信号の出力レベルを連続的に変化させて出力させる出力端子が形成されるゲート駆動ＩＣと，
前記ベース基板に形成され，一側端部が前記ゲート駆動ＩＣに形成された各々の出力端子に接続され，他側端部が前記ゲートラインに接続されるゲート駆動信号出力信号線とを有し，
前記出力端子から出力される前記出力レベルは，第１出力端子から最終出力端子に行くほど連続的に減少させたターン−オフ電圧であり，
前記第３信号伝送手段は，
前記ベース基板に形成され，一側端部が前記信号入力線に並列連結され，他側端部が前記ベース基板のエッジまで延長される第３信号伝送線と，
ＴＦＴ基板に形成され，一側端部が前記第３信号伝送線に接続され，他側端部が次のゲート駆動信号印加時点決定モジュールの第１信号伝送線に接続される第２信号伝送パターンとを有し，
前記第３信号伝送線及び前記第２信号伝送パターンは，前記第３信号伝送線及び前記第２信号伝送パターンを通して出力された出力信号のレベルと，前記ゲート駆動信号印加時点決定手段に割り当てられた最終出力端子から出力される出力信号のレベルとのレベル差が所定範囲内に存在するように，前記第３信号伝送線及び前記第２信号伝送パターンそれぞれの抵抗により前記第３信号伝送線及び前記第２信号伝送パターンを通して出力される前記出力信号のレベルを調節することを特徴とする，液晶表示パネルアセンブリ。
【請求項５】
前記第１信号伝送手段は，前記データ駆動信号印加時点決定モジュールに形成され，一側端部が前記統合印刷回路基板に接続され，他側端部が前記ＴＦＴ基板に形成された第２信号伝送手段に接続される，第１信号伝送線であることを特徴とする，請求項４に記載の液晶表示パネルアセンブリ。
【請求項６】
前記第２信号伝送手段は，ＴＦＴ基板に形成され，一側端部が前記第１信号伝送手段に接続され，他側端部が前記ゲート駆動信号印加時点決定モジュールに接続されるように，前記ゲートライン及び前記データラインの形成時に形成される第１信号伝送パターンであることを特徴とする，請求項４に記載の液晶表示パネルアセンブリ。
【請求項７】
ゲート駆動信号及びデータ駆動信号が発生する統合印刷回路基板と，
透明基板にマトリックス状で形成された複数個の薄膜トランジスタに前記データ駆動信号が各々印加されるように形成された複数列のデータライン，前記薄膜トランジスタに前記ゲート駆動信号が各々印加されるように形成されて前記薄膜トランジスタに連結された画素電極に所定信号が印加，維持されるように形成されたＴＦＴ基板，前記画素電極と対向する共通電極とＲＧＢ画素が形成されたカラーフィルタ基板，及び液晶を有する液晶表示パネルと，
指定の時点に前記データ駆動信号が割り当てられた複数個の前記データラインに印加されるようにする少なくとも１個以上のデータ駆動信号印加時点決定モジュールと，前記統合印刷回路基板から第１信号伝送手段を通して前記ＴＦＴ基板に前記ゲート駆動信号を印加し，第２信号伝送手段を通して前記ＴＦＴ基板から前記ゲート駆動信号印加時点決定モジュールに前記ゲート駆動信号を伝送し，第３信号伝送手段により次のゲート駆動信号印加時点決定モジュールに前記ゲート駆動信号を伝送すると共に，各々の前記ゲート駆動信号印加時点決定モジュールから出力されるゲート駆動信号が線形的に変更されるように調節する信号伝送手段と，
を有し，
前記ゲート駆動信号印加時点決定モジュールは，
フレキシブルなベース基板と，
前記ベース基板に形成され，前記第２信号伝送手段により前記ゲート駆動信号が入力される信号入力線と，
前記ベース基板に実装され，前記信号入力線により前記ゲート駆動信号が入力される入力端子，及び前記ゲート駆動信号を第１出力端子から最終出力端子に至るまで前記ゲート駆動信号の出力レベルを連続的に変化させて出力させる出力端子が形成されるゲート駆動ＩＣと，
前記ベース基板に形成され，一側端部が前記ゲート駆動ＩＣに形成された各々の出力端子に接続され，他側端部が前記ゲートラインに接続されるゲート駆動信号出力信号線と，
を有し，
前記出力端子から出力される前記出力レベルは，第１出力端子から最終出力端子に行くほど連続的に減少させたターン−オフ電圧であり，
前記第３信号伝送手段は，
前記ベース基板に形成され，一側端部が前記信号入力線に並列連結され，他側端部が前記ベース基板のエッジまで延長される第３信号伝送線と，
ＴＦＴ基板に形成され，一側端部が前記第３信号伝送線に接続され，他側端部が次のゲート駆動信号印加時点決定モジュールの第１信号伝送線に接続される第２信号伝送パターンと，
を有し，
前記第３信号伝送線及び前記第２信号伝送パターンを通して出力される出力信号のレベルは，前記第３信号伝送線及び前記第２信号伝送パターンの形成時における前記第３信号伝送線及び前記第２信号伝送パターンの内の少なくとも一方の固有抵抗の調節によって，前記出力信号のレベルと，前記最終出力端子から出力される出力レベルとのレベル差が所定範囲内に存在するように，調整されることを特徴とする，液晶表示パネルアセンブリ。
【請求項８】
液晶表示パネルに形成された複数個のゲートラインに，統合印刷回路基板から発生されたゲート駆動信号の中の前記液晶表示パネルに形成された薄膜トランジスタをターン−オフ状態で維持させるターン−オフ信号を，前記ターン−オフ信号のレベルが，前記ゲートラインの第１ゲートラインから最終ゲートラインに至るまで線形的に変化するように印加する段階と，
前記液晶表示パネルに形成された複数個のデータラインに前記統合印刷回路基板から発生した該データ駆動信号を印加する段階と，
前記ゲートラインのいずれかを選択して，前記統合印刷回路基板から発生したターン−オフ信号を所定時間の間に印加する段階と，
を含み，
前記印加する段階では，
第１ゲートラインの信号レベルが最も大きく，最終のゲートラインのターンオフ信号のレベルが最も小さく印加され，
前記ゲートラインの第１ゲートラインから前記最終ゲートラインは、前記統合印刷回路基板から発生されたターン−オフ信号が順次に供給される複数のゲートライングループを形成し，
複数の前記ゲートライングループのうちの一のゲートライングループにおける信号レベルが最も小さなターンオフ信号のレベルと，前記一のゲートライングループの次にターンオフ信号が印加される他のゲートライングループにおける信号レベルが最も大きなターンオフ信号のレベルとのレベル差は，所定の範囲となるように調整され，
前記レベル差の調整は，前記他のグループに供給される前記統合印刷回路基板から発生されたターン−オフ信号のレベルが抵抗により調整されることによって，調整されることを特徴とする，液晶表示パネルアセンブリの駆動方法。
【発明の詳細な説明】
【０００１】
【発明の属する技術分野】
本発明は表示装置に関し，特に，ゲート印刷回路基板なしに液晶表示装置を駆動するとき，一つのフレームが進行している際特定区間でゲート駆動信号の信号偏差が急激に発生して，液晶表示パネルが多画面に分割されたようにディスプレイされないように，ゲート駆動信号が一つのフレーム内で一定の傾向を持つように変更することで，液晶表示装置の画面が分割されディスプレイされないようにした駆動信号印加時点決定モジュールに関する。
【０００２】
また，本発明は，一つのフレームの間に一定の傾向を持ちながらゲート駆動信号が変調されるように，ゲート駆動信号印加時点決定モジュールから出力される全てのゲートラインの出力信号レベルが一定の傾向を持つようにチューニングし，一つの画面が複数個に分割されてディスプレイされないようにした液晶表示パネルアセンブリに関する。
【０００３】
また，本発明は，ゲート駆動信号が線形的に減少または増加するように，複数個のゲートラインにゲート駆動信号を印加する駆動信号印加時点決定モジュールが複数個用いられても，駆動信号印加時点決定モジュールと駆動信号印加時点決定モジュールとの間に急激なゲート駆動信号の変化が発生しないようにした液晶表示パネルアセンブリの駆動方法に関する。
【０００４】
【従来の技術】
最近，情報処理装置の開発の急進に伴い，大量の情報を短時間で処理できるようになり，処理された情報の結果データが得られることになった。
【０００５】
このように，情報処理装置で処理された結果データは電気的な信号形態であるため，処理された結果データを作業者が認識するにはインターフェース装置のディスプレイ装置を必要とする。
【０００６】
この理由から，情報処理装置の開発と共にディスプレイ装置の開発も急進しているが，最近は，体積及び重量面においてＣＲＴ方式（Ｃａｔｈｏｄｅ  ＲａｙＴｕｂｅ  ｔｙｐｅ）より非常に有利でありながらＣＲＴ方式ディスプレイ装置と対等な解像度及びフルーカラーの実現が可能な液晶表示装置の開発が急進している。
【０００７】
かかる液晶表示装置は，ＣＲＴ方式ディスプレイ装置と同様高解像度，フルカラー，大画面の長所を持つようにすると同時に，ＣＲＴ方式ディスプレイ装置が持っていない長所である小体積及び小重量を持つように，開発が進行している。しかし，輝度のむらが無く，大画面でも分割されて見えない，一層コンパクトで重量の軽い液晶表示装置は実現が難しく，開発努力による出現が期待されている。
【０００８】
【発明が解決しようとする課題】
本発明は上記問題点に鑑みてなされたものであり，その目的は，ゲート駆動信号をゲートラインに伝送するための媒介物であるゲート印刷回路基板の占有の体積及び重量を減少させると共に，ＴＦＴ基板及びゲート駆動信号印加時点決定モジュールを通過しながら発生するゲート駆動信号の変調によってゲート駆動信号の遅延，変形による輝度不均一，画面分割などが発生しないようにすることにある。
【０００９】
本発明の他の目的は，ゲートラインに印加されるゲート駆動信号の信号レベルを線形的に増加または減少させることで，ゲート駆動信号が印加される過程で発生し得るゲート駆動信号の遅延，変調による液晶表示装置の輝度不均一，画面分割現象が発生しないようにすることにある。
【００１０】
本発明のまた他の目的は，ゲート駆動信号の遅延及び変調が発生したゲート駆動信号のレベルを調節して液晶表示装置の輝度不均一，画面分割が発生しないようにすることにある。
【００１１】
【課題を解決するための手段】
上記課題を解決するため，本発明の駆動信号印加時点決定モジュールは，ベース基板と，ベース基板上に外部から電気的信号が印加されるように形成された信号入力線と，信号入力線に連結されて印加された信号のレベルを線形的に変化されるように複数出力端子を通して出力させる駆動ＩＣと，ベース基板に形成され，複数個の出力端子を通して線形的に変更される信号を外部から出力させる信号出力線とを有する。
【００１２】
また，本発明の液晶表示パネルアセンブリは，ゲート駆動信号及びデータ駆動信号が発生する統合印刷回路基板と，透明基板にマトリックス状で形成された複数個の薄膜トランジスタにデータ駆動信号が各々印加されるように形成された複数列のデータライン，薄膜トランジスタにゲート駆動信号が各々印加されるように形成されて薄膜トランジスタに連結された画素電極に所定信号が印加，維持されるように形成されたＴＦＴ基板，画素電極と対向する共通電極とＲＧＢ画素が形成されたカラーフィルタ基板，及び液晶を有する液晶表示パネルと，指定の時点にデータ駆動信号が割り当てられた複数個のデータラインに印加されるようにする少なくとも１個以上のデータ駆動信号印加時点決定モジュールと，指定の時点にゲート駆動信号が割り当てられた複数個のゲートラインに印加されるようにする少なくとも１個以上のゲート駆動信号印加時点決定モジュールとを有し，統合印刷回路基板から第１信号伝送手段を通してＴＦＴ基板にゲート駆動信号を印加し，第２信号伝送手段を通してＴＦＴ基板からゲート駆動信号印加時点決定モジュールにゲート駆動信号を伝送し，第３信号伝送手段により次のゲート駆動信号印加時点決定モジュールにゲート駆動信号を伝送すると共に，各々のゲート駆動信号印加時点決定モジュールから出力されるゲート駆動信号を線形的に変化させるように調節する信号伝送手段を有する。
【００１３】
また，本発明の液晶表示装置の駆動方法は，液晶表示パネルに形成された複数個のゲートラインに，統合印刷回路基板から発生したゲート駆動信号の中の液晶表示パネルに形成された薄膜トランジスタをターン−オフ状態で維持させるターン−オフ信号のレベルが，ゲートラインの第１ゲートラインから最終ゲートラインに至るまで線形的に変化するように印加する段階と，液晶表示パネルに形成された複数個のデータラインに統合印刷回路基板から発生した該データ駆動信号を印加する段階と，ゲートラインのいずれかを選択して，統合印刷回路基板から発生したターン−オフ信号を所定時間の間に印加する段階とを含む。
【００１４】
かかる構成によれば，小型であるにもかかわらず液晶表示装置の輝度不均一，画面分割が発生しない駆動印加時点決定モジュール及びこれを含んだ液晶表示パネルアセンブリとその駆動方法が提供できる。
【００１５】
【発明の実施の形態】
以下，印刷回路基板で発生したゲート駆動信号をゲートラインに伝送されるようにする媒介体の役割をするゲート印刷回路基板と，コネクタなしにゲート駆動信号をゲートラインに印加させながらもゲートラインに印加されるゲート駆動信号の変形が発生しないようにした液晶表示パネルアセンブリ，及びこれを実現するための液晶表示パネルアセンブリの駆動方法を，添付図面に基づいて説明する。
【００１６】
図１は，本発明にかかる液晶表示パネルアセンブリを含む液晶表示装置９００の分解斜視図である。ここで，液晶表示装置９００は大きく分けて液晶表示モジュール８００及びケース７００で構成される。
【００１７】
液晶表示モジュール８００はさらに液晶表示パネルアセンブリ３００，バックライトユニット６００，バックライトユニット６００と液晶表示パネルアセンブリ３００を収納する収納容器５００，及び収納容器５００からバックライトユニット６００と液晶表示パネルアセンブリ３００が離脱されることを防止するシャーシー４００から構成される。ケース７００はさらに液晶表示モジュール８００が収納される収納空間を提供するリアケース７１０と，リアケース７１０と結合されるフロントケース７２０とから構成される。
【００１８】
液晶表示パネルアセンブリ３００は，統合印刷回路基板３１０と，データ駆動信号印加時点決定モジュール３２０及びゲート駆動信号印加時点決定モジュール３３０から構成された駆動信号印加時点決定モジュール３４０と，液晶表示パネル３５０とを含む。
【００１９】
統合印刷回路基板３１０では，外部情報処理装置（図示せず）から印加された映像信号に対応するゲート駆動信号と，データ駆動信号及びゲート駆動信号をゲートライン及びデータ駆動信号をデータラインに印加する時点を決定するのに必要な複数個の駆動用タイミング信号とが発生する。
【００２０】
これを実現するために，統合印刷回路基板３１０には，駆動用タイミング信号が発生するタイミングコントローラ（図示せず），後述するＴＦＴ基板に形成される薄膜トランジスタをターン−オンさせるＶｏｎ電圧，薄膜トランジスタをターン−オフ状態で維持させるＶｏｆｆ電圧，薄膜トランジスタのターン−オン，ターン−オフのリファレンス電圧のＶｃｏｍ電圧などを発生させる電圧発生器（図示せず），及びフルーカラーディスプレイに必須な階調を発生させるのに必要な階調電圧が発生する階調電圧発生部（図示せず）が複合的に設けられる。
【００２１】
このような統合印刷回路基板３１０は，液晶表示装置９００を駆動するソフトウェアの役割をする反面，詳述する液晶表示パネル３５０及び駆動信号印加時点決定モジュール３４０は統合印刷回路基板３１０で発生した各種信号によって実質的な映像がディスプレイされるようにするハードウェアの役割をする。
【００２２】
これを実現するための液晶表示パネル３５０は，さらにカラーフィルタ基板３５１，ＴＦＴ基板３５２及び液晶（図示せず）を含む。
【００２３】
カラーフィルタ基板３５１は，透明な基板望ましくは透明度の高い四角プレート形状を持つガラス基板，ガラス基板の一側面に半導体薄膜工程によって形成されたＲＧＢ画素パターン，及びＲＧＢ画素パターンの上面に透明で電気的抵抗の低いＩＴＯ（Ｉｎｄｕｍｅ  Ｔｉｎ  Ｏｘｉｄｅ）材質の電極が形成されるが，この電極には所定電源が常に印加されるため，この電極を共通電極であると定義する。
【００２４】
このように構成されたカラーフィルタ基板３５１にはＴＦＴ基板３５２が対向する状態で重畳され，カラーフィルタ基板３５１とＴＦＴ基板３５２との間には液晶（図示せず）が数μｍの厚さで充填後に漏洩されないように密封される。
【００２５】
次に図２を参照してＴＦＴ基板３５２を説明する。ＴＦＴ基板３５２は，透明な基板望ましくは透明度の高い四角プレート形状を持つガラス基板，ガラス基板のエッジ３５２ｅから内側に所定距離をおいて（ｏｆｆｓｅｔ）形成された空間と定義された有効ディスプレイ領域３５２ａ，有効ディスプレイ領域３５２ａとガラス基板のエッジとの間の領域と定義された非有効ディスプレイ領域３５２ｂ，有効ディスプレイ領域３５２ａの内部に半導体薄膜工程によって複数個の行と複数個の列とから構成されたマトリックス形状の薄膜トランジスタ（図示せず），マトリックス形態で配列された薄膜トランジスタの１行に属する全ての薄膜トランジスタのゲート端子に共通的に接続されるゲートライン３５３，マトリックス形態で配列された薄膜トランジスタの１列に属する薄膜トランジスタのソース端子に共通に接続されたデータライン３５４，及び薄膜トランジスタのドレイン端子に各々接続されるように形成されたＩＴＯ材質の電極（図示せず）で構成される。このとき，電極はカラーフィルタ基板３５１に形成されたＲＧＢ画素のいずれかで光が出力されるようにし，これを画素電極であると称する。
【００２６】
このとき，全てのゲートライン３５３及びデータライン３５４は有効ディスプレイ領域３５２ａから非有効ディスプレイ領域３５２ｂに延長されるが，このとき，全てのゲートライン３５３及びデータライン３５４は複数個が一つのグループにまとめられてゲートライングループ３５３ａ及びデータライングループ３５４ａを形成する。
【００２７】
このとき，ゲートライングループ３５３ａ及びデータライングループ３５４ａは液晶表示装置９００の解像度によって少なくとも１個以上形成される。
【００２８】
このように構成されたデータライン３５４には統合印刷回路基板３１０で発生したデータ駆動信号及び駆動用タイミング信号が印加され，ゲートライン３５３には統合印刷回路基板３１０で発生したゲート駆動信号及び駆動用タイミング信号が印加され，ＴＦＴ基板３５２の画素電極とカラーフィルタ基板３５１の共通電極との間に電位が発生する。これにより，液晶の配列角が変わることになり画像がディスプレイされる。
【００２９】
このとき，統合印刷回路基板３１０から発生したデータ駆動信号及び駆動用タイミング駆動信号は，一側端部が統合印刷回路基板３１０に接続され，他側端部がデータライングループ３５４ａに連結したデータ駆動信号印加時点決定モジュール３２０によって印加される。
【００３０】
具体的に説明すると，データ駆動信号印加時点決定モジュール３２０は，フレキシブルなベース基板３２１，ベース基板３２１の上面に安着されて複数個の入力端子及び出力端子が形成されたデータ駆動ＩＣ３２２，一側端部は統合印刷回路基板３１０に形成されたデータ駆動信号出力端子（図示せず）に異方性導電フィルム（図示せず）等によって接続され，他側端部はデータ駆動ＩＣ３２２に形成された入力端子（図示せず）に接続されるようにベース基板３２１に形成されたデータ駆動信号入力線３２３，及び一側端部はデータ駆動ＩＣ３２２に形成された出力端子に接続され，他側端部はデータライン３５４に異方性導電フィルムなどを介して接続されるようにベース基板３２１に形成されたデータ駆動信号出力線３５５から構成される。
【００３１】
より詳しくは，データ駆動ＩＣ３２２は図３に示すように，統合印刷回路基板３１０のタイミングコントローラ（図示せず）から発生して第１データライン３５４ｂから最終データライン３５４ｃまでの各ラインに印加される複数の階調電圧に対応するデジタル信号を順次保存する役割をするシフトレジスタ３２２ａ，シフトレジスタ３２２ａに保存されたデジタルデータがデータラインに印加されるのに適したアナログ電圧に変換されるようにするデジタル/アナログ（Ｄ／Ａ）コンバータ３２２ｂ，及び変換された電圧を保存しておき全てのデータライン３５４に一度に印加されるようにするバッファ３２２ｃを含む。
【００３２】
一方，統合印刷回路基板３１０で発生したゲート駆動信号が別途のゲート駆動信号伝送用印刷回路基板及びコネクタのような媒介物なしにゲートライン３５３に印加されるようにするには，統合印刷回路基板３１０で発生したゲート駆動信号をＴＦＴ基板３５２に印加後，印加されたゲート駆動信号をＴＦＴ基板３５２からゲート駆動信号印加時点決定モジュール３３０に再伝送する。その後，ゲート駆動信号印加時点決定モジュール３３０から処理されたゲート駆動信号がゲートライン３５３に印加されるようにする方法が用いられる。
【００３３】
本発明ではこのような方法を実現するための，三つの実施の形態を説明するが，以下，図２から図６を参照してより具体的に説明する。
【００３４】
（第１の実施の形態）
図４は本発明にかかるＴＦＴ基板および駆動信号印加時点決定モジュールの第１の実施の形態を示す図である。統合印刷回路基板３１０からまずゲート駆動信号印加時点決定モジュール３３０にゲート駆動信号を伝送後，ゲートライン３５３にゲート駆動信号を印加するために，図４に示すように，統合印刷回路基板３１０に形成されたゲート駆動信号出力端子にはフレキシブルなベース基板３１２に形成された信号伝送線３１３の一側端部が接続される。出力端子からゲート駆動信号が印加された信号伝送線３１３の他側端部は，ゲート駆動信号印加時点決定モジュール３３０に近接したＴＦＴ基板３５２の非有効ディスプレイ領域３５２ｂまで延びる。
【００３５】
ベース基板３１２に形成された信号伝送線３１３の他側端部には，ＴＦＴ基板３５２の非有効ディスプレイ領域３５２ｂに沿ってゲート駆動信号印加時点決定モジュール３３０まで，ゲート駆動信号を伝送する第１信号伝送パターン３１４の一側端部が異方性導電フィルム（図示せず）等によって接続される。第１信号伝送パターン３１４の他側端部は，後述するゲート駆動信号印加時点決定モジュール３３０に接続される。
【００３６】
図４に示すように，ゲート駆動信号印加時点決定モジュール３３０と最も近く位置したデータ駆動信号印加時点決定モジュール３２０には，データ駆動信号出力線３５５と別個であるダミー信号線３５５ａが形成される。
【００３７】
このとき，ダミー信号線３５５ａの一側端部は統合印刷回路基板３１０に形成された出力端子に接続され，ダミー信号線３５５ａの他側端部はＴＦＴ基板３５２の非有効ディスプレイ領域３５２ｂに沿ってゲート駆動信号印加時点決定モジュール３３０までゲート駆動信号を第１信号伝送パターン３１４の一側端部に異方性導電フィルム（図示せず）等によって接続される方法が用いられる。
【００３８】
このとき，第１信号伝送パターン３１４は，ＴＦＴ基板３５２にゲートライン３５３及びデータライン３５４の形成の際に形成される半導体薄膜パターンである。
【００３９】
このような第１信号伝送パターン３１４に連結するゲート駆動信号印加時点決定モジュール３３０をより具体的に説明する。
【００４０】
図４に示すように，複数個のゲート駆動信号印加時点決定モジュール３３０，３０ａのいずれかのゲート駆動信号印加時点決定モジュールは，全体からみてベース基板３３１，ベース基板３３１に設けられるゲート駆動ＩＣ３３２，ベース基板３３１に設けられる第１信号伝送パターン３１４の端部と一側端部が接続され，他側端部はゲート駆動ＩＣ３３２の入力端子と接続されるゲート駆動信号入力線３３３，及びゲート駆動ＩＣ３３２の出力端子に一側端部が接続され，他側端部はゲートライン３５３と異方性導電フィルム等によって接続される複数個のゲート駆動信号出力線３３４を含む。
【００４１】
具体的に，図３を参照してゲート駆動ＩＣ３３２の作用を説明する。ゲート駆動ＩＣ３３２は，統合印刷回路基板３１０で発生した垂直同期信号に同期されたゲートクロックによって薄膜トランジスタをターン−オンさせるＶｏｎ電圧が出力されるようにするシフトレジスタ３３２ａ，シフトレジスタ３３２ａから印加されたＶｏｎ電圧が薄膜トランジスタをターン−オンさせるのに充分であるように増幅すると同時に，割り当てられた全てのゲートラインにＶｏｎ電圧が印加される以前には薄膜トランジスタがターン−オンされないようにするＶｏｆｆ電圧レベルを生成するレベルシフタ３３２ｂ，及びバッファ３３２ｃから構成される。
【００４２】
一方，先に説明した一つのゲート駆動信号印加時点決定モジュール３３０には約２５６個のゲートラインが割り当てられるが，一つのゲート駆動信号印加時点決定モジュール３３０に割り当てられたゲートライン３５３が２５６個の場合，ゲート駆動信号出力線３３４も２５６個である。これらの中で第１出力線を１番出力線（３３４ａ：図３参照），最終出力線を２５６番出力線（３３４ｂ：図３参照）として一連番号を付与することとする。
【００４３】
このとき，１番出力線３３４ａから２５６番出力線３３４ｂに出力されるゲート駆動信号，例えば薄膜トランジスタをターン−オフ状態で維持させるＶｏｆｆ信号のレベルは非常に重要である。
【００４４】
このように，Ｖｏｆｆ信号のレベルが重要なことは，Ｖｏｆｆ信号のレベルの変更時，薄膜トランジスタのターン−オン，ターン−オフの基準となるリファレンス電圧（Ｖｃｏｍ信号）に影響を及ぼすことである。これにより，薄膜トランジスタのドレイン端子に連結した画素電極に印加される画素電圧が所望の画素電圧と違うことになり，結局画素電極と共通電極との間の電位に影響を及ぼすことになる。その結果，異なる画素電圧を与えられた画素電極と共通電極との間の電位により液晶の配列角が指定の液晶の配列角と違うことになることで，結局液晶表示装置９００の輝度の相違が発生するためである。
【００４５】
このように，輝度に影響を及ぼすＶｏｆｆ信号は，ゲート駆動ＩＣ３３２の１番出力線３３４ａから２５６番出力線３３４ｂまで全部同一であるのが最も望ましいが，ゲート駆動ＩＣ３３２の内部抵抗により１番出力線３３４ａと２５６番出力線３３４ｂから出力されるＶｏｆｆ信号が一定であるのが非常に難しい。このため，最近は１番出力線３３４ａから２５６番出力線３３４ｂより出力されるＶｏｆｆ信号が，一定の傾向を持ちながら，変化例えば放物線形状に変化させるという手段が用いられる。このとき，液晶表示装置９００の輝度を使用者が認識できない範囲内での変化に留める。
【００４６】
低解像度，例えば液晶表示装置の水平解像度を決定するゲートライン３５３が全部で２５６個程度の場合，一つのゲート駆動信号印加時点決定モジュール３３０を必要とする。この様に一つのゲート駆動信号印加時点決定モジュール３３０が用いられる場合，このような方式を用いてＶｏｆｆ信号のレベルが連続的に変更されると，輝度が連続的に変更されることで，使用者は連続的に変更される輝度の変化を認識し難しくなり，Ｖｏｆｆ信号による輝度不均一の問題が発生しない。
【００４７】
しかし，高解像度の液晶表示装置例えば１０２４×７６８の解像度を持つ液晶表示装置，１１５２×８６４の高解像度を持つ液晶表示装置，１２８０×１０２４の高解像度を持つ液晶表示装置９００の場合，一つのゲート駆動信号印加時点決定モジュールが処理できるゲートライン３５３の数が例えば２５６個とした時，１０２４×７６８の解像度を持つ液晶表示装置の場合は３個のゲート駆動信号印加時点決定モジュールを必要とし，１１５２×８６４の高解像度を持つ液晶表示装置の場合は約３〜４個のゲート駆動信号印加時点決定モジュールを必要とし，１２８０×１０２４の高解像度を持つ液晶表示装置の場合は少なくとも４個のゲート駆動信号印加時点決定モジュールを必要とする。
【００４８】
このように，高解像度を持つ液晶表示装置を実現するために，少なくとも２個以上のゲート駆動信号印加時点決定モジュールを使用する場合，いずれかのゲート駆動信号印加時点決定モジュールに割り当てられた複数個のゲートラインの中の最終ゲートラインに印加されるＶｏｆｆ信号と，隣接したゲート駆動信号印加時点決定モジュールの第１ゲートラインに印加されるＶｏｆｆ信号の境界面でのＶｏｆｆ信号のレベル差が大きくなり，急激な輝度変化が発生して画面が分割されて見える問題，及びいずれかのゲート駆動信号印加時点決定モジュールから隣接したゲート駆動信号印加時点決定モジュール３３０にゲート駆動信号を伝送する過程でＶｏｆｆ信号の信号変調が発生する付随的な問題が発生する。
【００４９】
上記２つの問題を解決するために，本発明では，図４に示すように，複数個のゲート駆動信号印加時点決定モジュール３３０，３３０ａにゲート駆動信号入力線３３３，３３３ａ，ゲート駆動信号出力線３３４，３３４ａを形成すると同時に，いずれかのゲート駆動信号印加時点決定モジュール３３０から隣接したゲート駆動信号印加時点決定モジュール３３０ａにゲート駆動信号を伝送するためにゲート駆動信号入力線３３３，３３３ａにゲート駆動信号入力線３３３，３３３ａから並列に分岐されたゲート駆動信号伝送線３３５，及び相互隣接した２個のゲート駆動信号印加時点決定モジュール３３０，３３０ａに形成されたゲート駆動信号伝送線３３５，３３５ａが相互連結するように，ＴＦＴ基板３５２に第２信号伝送パターン３１６，３１６ａを含む。
【００５０】
このとき，ＴＦＴ基板３５２に形成された第１及び第２信号伝送パターン３１４，３１６の抵抗が"０［Ω］"に近接して無視できる程度の抵抗を持つ場合，複数個のゲート駆動信号印加時点決定モジュール３３０，３３０ａのゲート駆動信号出力線３３４，３３４ａから印加されるＶｏｆｆ信号の出力レベルを，（表１）を参照して説明する。
【表１】
0004845259.tif 000002
Ｖｏｆｆ  ｌｓｔはゲート駆動信号印加時点決定モジュール３３０，３３０ａにより第１ゲートライン３５３ａ，３５３ｃから出力されるＶｏｆｆ信号，Ｖｏｆｆ  ｌａｓｔはゲート駆動信号印加時点決定モジュール３３０，３３０ａにより最終ゲートライン３５３ｂ，３５３ｄに出力されるＶｏｆｆ信号，駆動ＩＣ内部抵抗は第１ゲートラインに出力されたＶｏｆｆ信号と最終ゲートラインに出力されたＶｏｆｆ信号との差である。
【００５１】
ここで，重要なことは，図４に示すように，ゲート駆動ＩＣ３３２は，統合印刷回路基板３１０において，所定レベルを持つＶｏｆｆ信号が入力後，複数個のゲート駆動信号出力線３３４にＶｏｆｆ信号が出力される時，第１ゲート駆動信号出力線から最終ゲート駆動信号出力線に出力されるＶｏｆｆ信号が一定の傾向例えば線形的に増加するＶｏｆｆ信号が出力されるようにすることである。
【００５２】
（表１）によれば，第１ゲート駆動信号印加時点決定モジュール３３０の第１ゲートライン３５３ａに出力されたＶｏｆｆ信号と，第１ゲート駆動信号印加時点決定モジュール３３０の最終ゲートライン３５３ｂに出力されたＶｏｆｆ信号とは，駆動ＩＣ内部抵抗だけ出力レベルの偏差が発生する。
【００５３】
このとき，Ｖｏｆｆ信号の出力レベルの偏差は，第１ゲート駆動信号印加時点決定モジュール３３０に割り当てられた第１ゲートライン３５３ａから最終ゲートライン３５３ｂに達するまで線形的に増加する。
【００５４】
一方，二番目のゲート駆動信号印加時点決定モジュール３３０ａの第１ゲートライン３５３ｃに入力されるＶｏｆｆ信号は，第１ゲート駆動信号印加時点決定モジュール３３０の第１ゲートライン３５３ａに印加されるＶｏｆｆ信号と同一であるので，結局第１ゲート駆動信号印加時点決定モジュール３３０に割り当てられた最終ゲートライン３５３ｂに入力されるＶｏｆｆ信号と二番目のゲート駆動信号印加時点決定モジュール３３０ａの第１ゲートライン３５３ｃに入力されるＶｏｆｆ信号とは，ゲート駆動ＩＣ３３２の内部抵抗の合計だけ偏差が発生する。
【００５５】
この様な偏差は，二番目のゲート駆動信号印加時点決定モジュール３３０ａと三番目のゲート駆動信号印加時点決定モジュールとの境界で最も大きくなり，一つの画面がまるで３個に分離された画面に一つの映像がディスプレイされるように見えるようになる。
【００５６】
結局，図４に示すように，ゲート駆動ＩＣ３３２は，統合印刷回路基板３１０において，所定レベルを持つＶｏｆｆ信号が入力後，複数個のゲート駆動信号出力線３３４にＶｏｆｆ信号が出力される時，第１ゲート駆動信号出力線から最終ゲート駆動信号出力線に出力されるＶｏｆｆ信号が一定の傾向，例えば線形的に増加するＶｏｆｆ信号が出力されるようにしても，複数個のゲート駆動信号印加時点決定モジュールを使用する場合，画面分割現象が発生するのは避けられないので，本発明では第１及び第２信号伝送パターン３１４，３１６の固有抵抗，信号伝送線及びゲート駆動ＩＣ３３２の内部抵抗を積極的に用いて，全てのゲートライン３５３に連結した全てのゲート駆動信号出力線３３４に出力される出力信号のレベルを調節して輝度差によって画面が分割されて見えることを防止する。
【００５７】
これを実現するために，まず，先に説明したように，ゲート駆動ＩＣ３３２は統合印刷回路基板３１０において，所定レベルを持つＶｏｆｆ信号が入力後，複数個のゲート駆動信号出力線３３４にＶｏｆｆ信号が出力される時，第１ゲート駆動信号出力線から最終ゲート駆動信号出力線に出力されるＶｏｆｆ信号が一定の傾向例えば線形的に増加するＶｏｆｆ信号が出力されるようにする。
【００５８】
一方，ゲート駆動信号印加時点決定モジュール３３０の最終ゲートライン３５３ｂと，隣接したゲート駆動信号印加時点決定モジュール３３０ａの第１ゲートライン３５３ｃに印加されるＶｏｆｆ信号とを所定範囲内に存在させるために，ゲート駆動信号印加時点決定モジュール３３０から隣接したゲート駆動信号印加時点決定モジュール３３０ａにゲート駆動信号を伝送するのに必要なゲート駆動信号伝送線３３５の一部はゲート駆動ＩＣ３３２の入力端子に接続されて，ゲート駆動ＩＣ３３２内部を経てＶｏｆｆ信号が人為的に変更された後，ゲート駆動ＩＣ３３２の出力端子を通してゲート駆動ＩＣ３３２の外部に出力される。
【００５９】
このように，ゲート駆動信号伝送線３３５の一部がゲート駆動ＩＣ３３２の内部を通過するようにすることで，二番目のゲート駆動信号印加時点決定モジュール３３０ａの第１ゲートライン３５３ｃから出力されるＶｏｆｆ  １ｓｔ信号は，ゲート駆動ＩＣ３３２を通過しながら発生した内部抵抗だけＶｏｆｆ信号が調節された状態でゲートライン３５３ｃに出力される。
【００６０】
続いて，二番目のゲート駆動信号印加時点決定モジュール３３０ａの第１ゲートラインに出力されるＶｏｆｆ  １ｓｔ信号は，第１ゲート駆動信号印加時点決定モジュール３３０の第１ゲートライン３５３ａに入力されるＶｏｆｆ  １ｓｔ信号に，ゲート駆動ＩＣ３３２の内部抵抗及び第１ゲート駆動信号印加時点決定モジュール３３０と，二番目のゲート駆動信号印加時点決定モジュール３３０ａを連結する第２信号伝送パターン３１６の抵抗によって信号が調節された状態である。このＶｏｆｆ  １ｓｔ信号は，二番目のゲート駆動信号印加時点決定モジュール３３０ａに割り当てられた第１ゲートライン３５３ｃに出力される。
【００６１】
すなわち，ゲート駆動信号伝送線３３５中の，ゲート駆動ＩＣ３３２の内部を通過する部分，及び第２信号伝送パターン３１６はＶｏｆｆ信号のレベルをシフトさせる役割をするが，これはゲート駆動信号伝送線３３５中のゲート駆動ＩＣ３３２の内部を通過する部分，及び第２信号伝送パターン３１６はＶｏｆｆ抵抗レベルシフトの役割をすることで実現される。
【００６２】
これを（表２）及び図３のグラフを用いて説明する。
【表２】
0004845259.tif 000003
図４及び（表２）を参照すると，例えばＢにおける抵抗が１０Ω，Ｃ区間における抵抗が２.５Ω，Ｅにおける抵抗が１６Ω，Ｆ区間における抵抗が２.５Ω，Ｈにおける抵抗が１６Ωであり，各ゲート駆動ＩＣ３３２，３３２ａの中のゲート駆動信号出力線３３４とゲート駆動信号出力線３３４との間に存在する固有抵抗が各々Ｒ１，Ｒ２，…，Ｒｎであると定義すると，ゲート駆動ＩＣ３３２の内部抵抗は（Ｒ１＋Ｒ２＋...＋Ｒｎ）として表され，例えば２１Ωであるとする。
【００６３】
より具体的には，統合印刷回路基板３１０で発生したＶｏｆｆ信号は，第１ゲート駆動信号印加時点決定モジュール３３０のＢ地点で１０Ωの抵抗だけ増加した状態でゲート駆動ＩＣ３３２に入力され，Ｖｏｆｆ  １ｓｔ信号及びＶｏｆｆｌａｓｔ信号はＲ１，Ｒ２…Ｒｎにより継続直列に合算されて，グラフに示すように所定の傾きを持つ１次直線形状で線形的に増加する傾向を持つ。
【００６４】
一例として，第１ゲート駆動信号印加時点決定モジュール３３０に割り当てられた第１ゲートライン３５３ａに出力されたＶｏｆｆ抵抗であるＢ＋Ｒ１の中のＲ１が約１Ωの場合，Ｂ＋Ｒ１は１１Ωになり，第１ゲート駆動信号印加時点決定モジュール３３０に割り当てられた最終ゲートライン３５３ｂに出力されたＶｏｆｆ抵抗のＢ＋Ｒ１＋Ｒ２＋....＋Ｒｎは３２Ωになる。
【００６５】
反面，二番目のゲート駆動信号印加時点決定モジュール３３０ａに割り当てられた第１ゲートライン３５３ｃに印加されるＶｏｆｆ信号のレベルは，ゲート駆動ＩＣ３３２のゲート駆動信号出力線３３４に印加されるＶｏｆｆ抵抗であるＢ＋Ｃ＋Ｅ＋Ｒ１は，Ｂにおける抵抗１０ΩとＢで並列分岐されたゲート駆動信号伝送線３３５の中のＣ区間による抵抗２.５Ω及びＥにおける抵抗１６Ωの合計である２８.５Ωにゲート駆動ＩＣ３３２の内部抵抗Ｒ１が加算されて２８.５Ωから３０Ωの間に存在する。
【００６６】
結果的に，第１ゲート駆動信号印加時点決定モジュール３３０に割り当てられた最終ゲートラインに印加されるＶｏｆｆ抵抗Ｂ＋Ｒ１＋Ｒ２＋...＋Ｒｎと，二番目のゲート駆動信号印加時点決定モジュール３３０ａに割り当てられた第１ゲートライン３５３ｃに印加されるＶｏｆｆ抵抗Ｂ＋Ｃ＋Ｅ＋Ｒ１との差は非常に小さいため，目視で認識し難しい輝度差のみが存在する。
【００６７】
この方式により，二番目のゲート駆動信号印加時点決定モジュール３３０ａと三番目のゲート駆動信号印加時点決定モジュールとの境界におけるＶｏｆｆ抵抗を測定する場合，(表２)及びグラフに示すように，わずかのＶｏｆｆ抵抗差を見せるようになり，一つのフレームが進行される間に輝度が非常に微細に変更されて，ゲート駆動信号印加時点決定モジュールと隣接したゲート駆動信号印加時点決定モジュールとの境界で画面が分割されて見えることを防止できる。
【００６８】
（第２の実施の形態）
図５には本発明にかかるＴＦＴ基板および駆動信号印加時点決定モジュールの第２の実施の形態を示す。図４に示した第１の実施の形態は，ゲート駆動信号印加時点決定モジュール３３０及び隣接したゲート駆動信号印加時点決定モジュール３３０ａの境界面で，輝度変化が発生しないように，ゲート駆動信号印加時点決定モジュール３３０ａに割り当てられた最終ゲートライン３５３ｂに出力されるＶｏｆｆ  ｌａｓｔ抵抗と隣接した駆動信号印加時点決定モジュール３３０ａに割り当てられた第１ゲートライン３５３ｃに出力されるＶｏｆｆ  ｌｓｔ抵抗との差を最小化するために，ゲート駆動ＩＣ３３２に連結したゲートラインには線形的に増加する大きさを持つＶｏｆｆ信号を出力させた。さらに，このゲート駆動信号印加時点決定モジュール３３０に割り当てられた最終ゲートライン３５３ｂに出力されるＶｏｆｆ  ｌａｓｔ信号と隣接したゲート駆動信号印加時点決定モジュール３３０ａに割り当てられた第１ゲートライン３５３ｃに出力されるＶｏｆｆ  １ｓｔ信号との差を減少させるために，Ｖｏｆｆ抵抗レベルシフトの役割をするゲート駆動信号伝送線及び第２信号伝送パターン３１６を形成及びこれらの抵抗を調節する例が図示及び説明されている。
【００６９】
図５は図４とは異なり，抵抗成分として働くゲート駆動信号伝送線３３５中のいずれも，ゲート駆動ＩＣ３３２の内部を通過しないように形成し，ゲート駆動信号伝送線３３５そのものの固有抵抗がＶｏｆｆ抵抗レベルシフトの役割をするようにすることで，ゲート駆動ＩＣ３３２の内部構造がより単純になるようにする。
【００７０】
これにより，ゲート駆動信号伝送線３３５の固有抵抗と第２信号伝送パターン３１６ｂの抵抗を調整することで，任意のゲート駆動信号印加時点決定モジュール３３０ｂに割り当てられた最終ゲートライン３５３ｆに印加されるＶｏｆｆ信号の抵抗と隣接したゲート駆動信号印加時点決定モジュール３３０ｃに割り当てられた第１ゲートライン３５３ｇに印加されるＶｏｆｆ信号の抵抗との差を最小にして，物理的要素ではない駆動方式によるゲート駆動信号印加時点決定モジュール３３０ｂとゲート駆動信号印加時点決定モジュール３３０ｃとの間で発生する輝度不均一を克服できる。
【００７１】
（第３の実施の形態）
図６は，統合印刷回路基板３１０で発生したゲート駆動信号をそれぞれの複数個のゲート駆動信号印加時点決定モジュール３３０ｄ，３３０ｅに供給するが，各ゲート駆動信号印加時点決定モジュール３３０ｄ，３３０ｅに割り当てられた最終ゲートライン３３５ｊ，３３５ｌ及び最終ゲートライン３３５ｊ，３５３ｌと隣接した第１ゲートラインのＶｏｆｆ信号の差が最小になるようにする本発明の他の実施の形態を示す。
【００７２】
第３の実施の形態によれば，各ゲート駆動ＩＣ３３２ｄ，３３２ｅに連結した複数個のゲートラインの第１ゲートライン３５３ｉから最終ゲートライン３５３ｊに出力されるＶｏｆｆ信号すなわちＶｏｆｆ抵抗の大きさは，第１ゲートライン３５３ｉが最小で，最終ゲートライン３５３ｊの方に行くほど所定の傾きを持つ１次直線形態で増加し，最終ゲートライン３５３ｊで最大のＶｏｆｆ抵抗が形成される。
【００７３】
このとき，任意のゲート駆動信号印加時点決定モジュール３３０ｄに形成されたゲート駆動ＩＣ３３２ｄの最終ゲートライン３５３ｊ，及び隣接したゲート駆動信号印加時点決定モジュール３３０ｅに形成されたゲート駆動ＩＣ３３２ｅの第１ゲートライン３５３ｋにおける輝度差が発生することを防止するには，図６中のＴＦＴ基板３５２に形成された第１及び第２信号伝送パターン３１４ａ，３１６ｃの固有抵抗を調節して，任意のゲート駆動信号印加時点決定モジュール３３０ｃ及び隣接したゲート駆動信号印加時点決定モジュール３３０ｅに割り当てられた第１ゲートライン３５３ｋで発生したＶｏｆｆ信号の偏差が最小になるようにする。
【００７４】
これを実現するために，第１及び第２信号伝送パターン３１４ａ，３１６ｃの太さ及び長さを異なるようにするが，統合印刷回路基板３１０からゲート駆動信号が印加される長さが長くなるほど第１及び第２信号伝送パターン３１４ａ，３１６ｃにおける抵抗が大きくなるようにする。
【００７５】
（第１〜３の実施の形態に共通の構成）
このような構成及び作用をする液晶表示パネル３５０の液晶が画素電極に印加された画素電圧及び共通電極の間に形成された電界により正確に配列されても，液晶表示パネル３５０には映像がディスプレイされない。これは液晶そのものが発光素子ではないためであり，結局液晶を通過する光が供給されるようにバックライトユニット６００及び液晶表示パネルアセンブリ３００とバックライトユニット６００を固定する収納容器５００を必要とする。
【００７６】
バックライトユニット６００は，輝度が高くて輝度均一性も優れるべきであるが，この条件を満足させるのには面発光光源が最も有利である。ところが，面発光光源は製作し難しいため，結局冷陰極線管の様な線光源を使用すべきである。しかし，線光源の場合，輝度均一性が非常に低下するため，線光源で発生した光を面発光光源と同じ役割をするように光の輝度を均一に調節すべきである。
【００７７】
これを実現するために，バックライトユニット６００はランプユニット６１０，導光板６２０，反射板６３０，拡散シート類６４０から構成される。
【００７８】
ランプユニット６１０は放射状に光を出射させる冷陰極線管ランプ６１１と，冷陰極線管とランプ６１１で出射された光を一方向のみに集光させ出射させるようにするランプカバー６１２とを含む。
【００７９】
導光板６００はランプカバー６１２に挟まれる矩形のプレートであって，液晶表示パネル３５０の下面に安着される。導光板６２０は一方向に集光された光をガイドしながら光の進行方向を変えて液晶表示パネル３５０に向けるようにする。
【００８０】
このとき，光が導光板６２０を通過しながら全部液晶表示パネル３５０に入射される場合に輝度が最も優れるが，導光板６２０の下面に光が漏洩される場合に液晶表示パネル３５０に入射される光の輝度は低下する。これを防止するために導光板６２０の下面には導光板６２０から漏洩された光を再入射させる反射板６３０が設けられる。
【００８１】
一方，導光板６２０から液晶表示パネル３５０に入射させるために出射された光はわずかに輝度均一性が低下するため，これを補正するために，導光板６２０の上面と液晶表示パネル３５０の下面との間には光の輝度をより均一にする，少なくとも１枚以上の光学シート類６４０が設けられる。
【００８２】
このとき，液晶表示パネル３５０，光学シート類６４０，ランプユニット６１０が結合された導光板６２０及び反射板６３０が安着されるにはこれらを収納する収納容器５００が必要である。収納容器５００の基底面には反射板６３０，ランプユニット６１０が結合された導光板６２０，光学シート類６４０等が安着される。光学シート類６４０の上面には液晶表示パネルアセンブリ３００が安着され，液晶表示パネルアセンブリ３００が収納容器５００から離脱しないように液晶表示パネルアセンブリ３００と収納容器５００にはシャーシ４００が設けられる。
【００８３】
このように構成された本発明による液晶表示装置の駆動方法を，図４を参照して説明する。まず，外部情報処理機器（図示せず）で発生した映像信号により，統合印刷回路基板３１０ではＶｏｎ電圧，Ｖｏｆｆ電圧，階調電圧，デジタルデータ及び複数個のタイミング信号が発生する。
【００８４】
このように，統合印刷回路基板３１０で発生した各種信号のうち，Ｖｏｎ電圧，Ｖｏｆｆ電圧等は先に説明したＴＦＴ基板３５２に形成された第１信号伝送パターン３１４及びゲート駆動信号入力線３３３によって第１ゲート駆動信号印加時点決定モジュール３３０のゲート駆動ＩＣ３３２のレベルシフタ３３２ｂに印加され，これらの中でＶｏｆｆ電圧は割り当てられた全てのゲートラインに印加され，薄膜トランジスタがターン−オフ状態を維持するようにする。
【００８５】
この様な状態で，統合印刷回路基板３１０で発生したデジタルデータは，タイミング信号のクロック信号及びキャリーインの信号によって，第１データ駆動信号印加時点決定モジュール３２０のデータ駆動信号入力線３５５を通してデータ駆動ＩＣ３２２のシフトレジスタ３２２ａに順次ローディングされる。
【００８６】
続いて，キャリーアウト信号によって隣接した第２データ駆動信号印加時点決定モジュールのデータ駆動ＩＣに備えられたシフトレジスタ，及び第３データ駆動信号印加時点決定モジュールのデータ駆動ＩＣのシフトレジスタに共に印加される。さらにデジタル/アナログコンバータ３２２ｂによってデジタルデータに対応するアナログ電圧が発生し，アナログ電圧はバッファ３２２ｃに印加後，印加信号によって全てのデータライン３５４には該アナログ電圧が印加される。
【００８７】
以後，統合印刷回路基板３１０で発生した第１ゲートクロックが第１ゲート駆動信号印加時点決定モジュール３３０のゲート駆動ＩＣ３３２に印加される瞬間，レベルシフタで薄膜トランジスタをターン−オンさせるのに充分な電圧レベルを持つＶｏｎ電圧が，バッファ３３２ｃを通して第１ゲートライン３４４ａに印加される。
【００８８】
これにより，ゲートライン３４４ａに連結した１行に該当する全ての薄膜トランジスタはターン−オンされながら，データライン３５４に印加されたそれぞれの階調電圧は薄膜トランジスタを通じて画素電極に印加されて，画素電極とカラーフィルタ基板３５１の共通電極との間に電位差が発生し，電位差に対応して液晶が配列されながらバックライトユニット６００で供給された光が液晶を通過しながらＲＧＢ画素を刺激して外部に所定色を発現させる。
【００８９】
この様な駆動は，第１ゲート駆動信号印加時点決定モジュール３３０に割り当てられた第１ゲートライン３５３ａから最終ゲートライン３５３ｂまで持続する。
【００９０】
このとき，先に説明したように，第１ゲートライン３５３ａから最終ゲートライン３５３ｂにかかるＶｏｆｆ電圧は，ゲート駆動ＩＣ３３２の内部抵抗によって所定の傾きを持つ１次直線形態で順次減少されるが，第１ゲートライン３５３ａから最終ゲートライン３５３ｂに該当する画面は外部から見れば連続的な輝度差が発生する。
【００９１】
二番目のゲート駆動信号印加時点決定モジュール３３０ａに割り当てられた第１ゲートライン３５３ｃに印加されたＶｏｆｆ電圧は，図４，５および６に示すように，ゲート駆動信号伝送線３３５及びＴＦＴ基板３５２に形成された第２信号伝送パターン３１６により，第１ゲート駆動信号印加時点決定モジュール３３０の最終ゲートライン３５３ｂに印加されたＶｏｆｆ電圧に近接するように調節された状態で印加されたため，第１及び第２のゲート駆動信号印加時点決定モジュール３３０，３３０ａによって映像がディスプレイされる時，輝度差が非常に連続的になされることにより，使用者はこのような輝度差を認識できなくなる。
【００９２】
このような駆動方式は，三番目のゲート駆動信号印加時点決定モジュールにも同様に適用され，結局一つのフレームにわたり液晶表示パネルには許容範囲内で輝度差が発生するが，使用者が認識できない程度に抑えることができる。
【００９３】
以上，添付図面を参照しながら本発明にかかる駆動印加時点決定モジュール及びこれを含んだ液晶表示パネルアセンブリとその駆動方法の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００９４】
【発明の効果】
以上詳細に説明した様に，液晶表示パネルの中の外部情報処理装置で発生したゲート駆動信号を印加するための別途のコネクタ及びゲート印刷回路基板が必要でないため，液晶表示装置の厚さ及び部品数が低減されることは勿論，ゲート駆動信号をＴＦＴ基板を通して伝送する時，薄膜トランジスタをターン−オフ状態で維持させるＶｏｆｆ電圧が変更されて，輝度不均一が発生しても使用者が輝度不均一を認識できないようにする効果がある。
【図面の簡単な説明】
【図１】本発明による液晶表示装置の分解斜視図である。
【図２】本発明による液晶表示装置の構成要素であるＴＦＴ基板及び駆動信号印加時点決定モジュールの平面図である。
【図３】本発明による駆動ドライブＩＣの作用を説明するための概念図である。
【図４】第１の実施の形態にかかるＴＦＴ基板及び駆動信号印加時点決定モジュールの平面図である。
【図５】第２の実施の形態にかかるＴＦＴ基板及び駆動信号印加時点決定モジュールの平面図である。
【図６】第３の実施の形態にかかるＴＦＴ基板及び駆動信号印加時点決定モジュールの平面図である。
【符号の説明】
３００  液晶表示パネルアセンブリ
３１０  統合印刷回路基板
３２０  データ駆動信号印加時点決定モジュール
３３０  ゲート駆動信号印加時点決定モジュール
３４０  駆動信号印加時点決定モジュール
３５０  液晶表示パネル
３５１  カラーフィルタ基板
３５２  ＴＦＴ基板
４００  シャーシ
５００  収納容器
６００  バックライトユニット
６１０  ランプユニット
６１１  冷陰極線管ランプ
６２０  導光板
６３０  反射板
６４０  拡散シート類
７００  ケース
７１０  リアケース
７２０  フロントケース
８００  液晶表示モジュール
９００  液晶表示装置
【図１】
0004845259.tif 000004
【図２】
0004845259.tif 000005
【図３】
0004845259.tif 000006
【図４】
0004845259.tif 000007
【図５】
0004845259.tif 000008
【図６】
0004845259.tif 000009